(57)【要約】【課題】着用しても気軽に動き回ることができる空気圧膨張型着ぐるみを提供する。【解決手段】空気圧により膨張した状態で、着用者の身体を覆いうる袋状の着ぐるみ本体部と、前記着ぐるみ本体部内に空気を送り込むための空気送入部と、前記空気送入部を駆動させる電源部とを備えた空気圧膨張型着ぐるみであって、前記着ぐるみ本体部は、着用時に、着用者の身体の一部の部位が前記着ぐるみ本体部の外側に出るように開口部が形成されている。【選択図】図１
2020006037.tif 000002
【特許請求の範囲】
【請求項１】
空気圧により膨張した状態で、着用者の身体を覆いうる袋状の着ぐるみ本体部と、前記着ぐるみ本体部内に空気を送り込むための空気送入部と、前記空気送入部を駆動させる電源部とを備えた空気圧膨張型着ぐるみであって、
前記着ぐるみ本体部は、着用時に、着用者の身体の一部の部位が前記着ぐるみ本体部の外側に出るように開口部が形成されていることを特徴とする空気圧膨張型着ぐるみ。
【請求項２】
前記着ぐるみ本体部は、着用時に、着用者の上半身が前記着ぐるみ本体部の外側に出るように前記開口部が形成されていることを特徴とする請求項１記載の空気圧膨張型着ぐるみ。
【請求項３】
前記着ぐるみ本体部は、各種キャラクター形状に形成されているとともに、着用者の着用時に、前記着用者の脚部に見えるように模したダミー脚部を備えていることを特徴とする請求項２記載の空気圧膨張型着ぐるみ。
【請求項４】
前記着ぐるみ本体部は、着用時に、着用者の足部が接地しうるように足用開口部が形成されているとともに、前記足用開口部より突出し、前記足部を覆い隠す足カバー部を有することを特徴とする請求項１乃至３のいずれか１項に記載の空気圧膨張型着ぐるみ。
【請求項５】
前記着ぐるみ本体部の着用時に着用者の身体の一部が出る前記開口部には、内部の空気漏れを抑制すると共に、所定量の空気を排出するための前記開口部の面積を狭めるための締付手段が設けられていることを特徴とする請求項１乃至４のいずれか１項に記載の空気圧膨張型着ぐるみ。
【請求項６】
前記着ぐるみ本体部は、着用時に、着用者の略全身を覆い、着用者の足部のみを外側に出すように足用開口部が形成されており、前記足部を覆い隠す足側方カバー部を有するとともに、着用時の着用者の眼前の位置には、外界を視認しうる窓部が設けられていることを特徴とする請求項１記載の空気膨張型の着ぐるみ。
【請求項７】
前記着ぐるみ本体部は、軽量の可撓性を有するシート状の素材で形成されていることを特徴とする請求項１乃至６のいずれか１項に記載の空気圧膨張型着ぐるみ。
【発明の詳細な説明】
【技術分野】
【０００１】
本発明は、着ぐるみに係り、特に、空気で膨らませて着用できる空気圧膨張型着ぐるみに関するものである。
【背景技術】
【０００２】
従来の着ぐるみは、一般的に、イベント等のマスコットキャラクターなどに使用されることが多く、着用する際は、着用者の身体は、厚い生地で覆われるため、蒸し暑く、疲労感をともなうものであり、持ち運びも嵩張り不便なものが多かった。
【０００３】
これに対し、特許文献１には、空気で膨らませて着用できる空気圧膨張型着ぐるみが開示されており、送風機から内部に空気が送り込まれるため、着用者は、疲労感をさほど感じない着ぐるみである。
【０００４】
しかしながら、この特許文献１に開示された空気圧膨張型着ぐるみも、やはり、主にイベント等のマスコットキャラクターなどに使用されることを前提として開発されているため、気軽に多く動き回ったりすることは考慮されておらず、例えば、外界が視認できる旨の記載や示唆もない。
【０００５】
一方で、ハロウィンなどに限らず、普段でも、趣味などで仮装のために着ぐるみを着用する人が急増しており、着用しても疲労感をさほど感じないのみならず、着用しても気軽に動き回ることができる着ぐるみを開発して欲しいとの要請がある。
【先行技術文献】
【特許文献】
【０００６】
【特許文献１】実用新案登録第３０６２１１３号公報
【発明の概要】
【発明が解決しようとする課題】
【０００７】
本発明は、以上のような従来の要請に応えるためのものであって、その課題は、着用しても気軽に動き回ることができる空気圧膨張型着ぐるみを提供することにある。
【課題を解決するための手段】
【０００８】
前記課題を解決するために、請求項１記載の発明にあっては、空気圧により膨張した状態で、着用者の身体を覆いうる袋状の着ぐるみ本体部と、前記着ぐるみ本体部内に空気を送り込むための空気送入部と、前記空気送入部を駆動させる電源部とを備えた空気圧膨張型着ぐるみであって、前記着ぐるみ本体部は、着用時に、着用者の身体の一部の部位が前記着ぐるみ本体部の外側に出るように開口部が形成されていることを特徴とする。
【０００９】
従って、請求項１記載の発明にあっては、着用時に、前記着ぐるみ本体部の前記開口部から着用者の身体の一部の部位は外側に出すことができ、外側に出る着用者の身体の位置の部位は、前記着ぐるみ本体部に覆われる部分に比して、より自由に動かすことができる。
【００１０】
請求項２記載の発明にあっては、前記着ぐるみ本体部は、着用時に、着用者の上半身が前記着ぐるみ本体部の外側に出るように前記開口部が形成されていることを特徴とする。
【００１１】
従って、請求項２記載の発明にあっては、着用時に、前記着ぐるみ本体部の前記開口部から外側に出る着用者の上半身は、前記着ぐるみ本体部に覆われている部分に比して、より自由に動かすことができる。
【００１２】
請求項３記載の発明にあっては、前記着ぐるみ本体部は、各種キャラクター形状に形成されているとともに、着用者の着用時に、前記着用者の脚部に見えるように模したダミー脚部を備えていることを特徴とする。
【００１３】
従って、請求項３記載の発明にあっては、着用時に、前記着用者の脚部に見えるように模した前記ダミー脚部により、着用者が各種キャラクターに跨って乗っているように見えたり、各種キャラクターに肩車されているように見えたり、各種キャラクターに持ち上げられているように見えたりする。
【００１４】
請求項４記載の発明にあっては、前記着ぐるみ本体部は、着用時に、着用者の足部が接地しうるように足用開口部が形成されているとともに、前記足用開口部より突出し、前記足部を覆い隠す足カバー部を有することを特徴とする。
【００１５】
従って、請求項４記載の発明にあっては、着用時に、着用者は、足部が前記着ぐるみ本体部の外側に出ているので、前記足部を前記着ぐるみ本体部の外側において自由に動かすことができる。また、前記足部は、前記足カバー部に覆い隠されるため、外側からは、着用者の前記足部の位置が分からないようになる。
【００１６】
請求項５記載の発明にあっては、前記着ぐるみ本体部の着用時に着用者の身体の一部が出る前記開口部には、内部の空気漏れを抑制すると共に、所定量の空気を排出するための前記開口部の面積を狭めるための締付手段が設けられていることを特徴とする。
【００１７】
従って、請求項５記載の発明にあっては、前記締付手段により、着用時に前記空気送入部から送られてきた空気は、前記着ぐるみ本体部内を満たして、前記着ぐるみ本体部を膨張させることができ、若干量の空気は排出され、前記着ぐるみ本体部内は、常に適度な空気量に保たれる。
【００１８】
請求項６記載の発明にあっては、前記着ぐるみ本体部は、着用時に、着用者の略全身を覆い、着用者の足部のみを外側に出すように足用開口部が形成されており、前記足部を覆い隠す足側方カバー部を有するとともに、着用時の着用者の眼前の位置には、外界を視認しうる窓部が設けられていることを特徴とする。
【００１９】
従って、請求項６記載の発明にあっては、着用時は、前記着ぐるみ本体部により略全身を覆いうるとともに、着用者の前記足部は、前記着ぐるみ本体部の外側に出ているので、着用者は身体を、より自由に動かすことができる。また、前記足部は、前記足側方カバー部に覆い隠されているため、外側からは、着用者の前記足部の位置が分からないようになる。さらに、着用していても、前記窓部から外界を視認することができ、この点からも、着用者は身体を、より自由に動かすことができる。
【００２０】
請求項７記載の発明にあっては、前記着ぐるみ本体部は、軽量の可撓性を有するシート状の素材で形成されていることを特徴とする。
【００２１】
従って、請求項７記載の発明にあっては、前記着ぐるみ本体部は、軽量で可撓性を有するため、着用者は、着用時に負担をあまり感じず、また、使用しないときは、小さくコンパクトに折り畳める。
【発明の効果】
【００２２】
請求項１記載の空気圧膨張型着ぐるみにあっては、着用時に、前記着ぐるみ本体部の前記開口部から外側に出る着用者の身体の位置の部位は、前記着ぐるみ本体部に覆われる部分に比して、より自由に動かすことができるため、着用者は、着用した状態でも気軽に動き回ることができる空気圧膨張型着ぐるみを提供することができる。
【００２３】
請求項２記載の空気圧膨張型着ぐるみにあっては、着用時に、前記着ぐるみ本体部の前記開口部から外側に出る着用者の上半身は、前記着ぐるみ本体部に覆われている部分に比して、より自由に動かすことができるので、例えば、手を使った作業を行えるし、顔も外界に出ているため、空腹時には、食事をすることもできる。
【００２４】
請求項３記載の空気圧膨張型着ぐるみにあっては、着用時に、前記着用者の脚部に見えるように模した前記ダミー脚部により、着用者が各種キャラクターに跨って乗っているように見えたり、各種キャラクターに肩車されているように見えたり、各種キャラクターに持ち上げられているように見えたりするので、多くの人々に注目されるような趣向を凝らしたものとなる。
【００２５】
請求項４記載の空気圧膨張型着ぐるみにあっては、着用時に、着用者は、足部が前記着ぐるみ本体部の外側に出ているので、前記足部を前記着ぐるみ本体部の外側において自由に動かすことができ、また、前記足部は、前記足カバー部に覆い隠されるため、外側からは、着用者の前記足部の位置が分からないようになるので、例えば、靴を履いた状態で着用すると、靴を履くことによる歩き易さがあるうえに、前記足カバー部で靴ごと足部が覆い隠され、着用時の外観品質の低下を防止することができる。
【００２６】
請求項５記載の空気圧膨張型着ぐるみにあっては、前記締付手段により、着用時に前記空気送入部から送られてきた空気は、前記着ぐるみ本体部内を満たして、前記着ぐるみ本体部を膨張させることができ、若干量の空気は排出され、前記着ぐるみ本体部内は、常に適度な空気量に保たれるので、着用時の前記着ぐるみ本体部の型崩れのおそれも少なく、前記開口部を極端に締め付けないで済むため、着心地もよい。
【００２７】
請求項６記載の空気圧膨張型着ぐるみにあっては、着用時は、前記着ぐるみ本体部により略全身を覆いうるとともに、着用者の前記足部は、前記着ぐるみ本体部の外側に出ているので、着用者は身体を、より自由に動かすことができ、また、前記足部は、前記足側方カバー部に覆い隠されているため、外側からは、着用者の前記足部の位置が分からないようになり、さらに、着用していても、前記窓部から外界を視認することができ、この点からも、着用者は身体を、より自由に動かすことができるので、例えば、着用者の背丈よりも大きいキャラクターものなども、着用しても気軽に動き回ることができる。
【００２８】
請求項７記載の空気圧膨張型着ぐるみにあっては、前記着ぐるみ本体部は、軽量で可撓性を有するため、着用者は、着用時に負担をあまり感じず、また、使用しないときは、小さくコンパクトに折り畳めるので、着用者は、着用しても疲労感をさほど感じず、持ち運びも容易である。
【図面の簡単な説明】
【００２９】
【図１】図１は、本発明に係る空気圧膨張型着ぐるみの第１実施形態において、人が装着した状態を示す斜視図である。
【図２】図２は、本発明に係る空気圧膨張型着ぐるみの第１実施形態において、臀部の部分を拡大して示す部分拡大図である。
【図３】本発明に係る空気圧膨張型着ぐるみの第１実施形態において、足部の部分を拡大して示す部分拡大図である。
【図４】図４は、本発明に係る空気圧膨張型着ぐるみの第１実施形態において、腹部の部分を拡大して示す部分拡大図である。
【図５】図５は、本発明に係る空気圧膨張型着ぐるみの第２実施形態において、人が装着した状態を示す斜視図である。
【図６】図６は、本発明に係る空気圧膨張型着ぐるみの第３実施形態において、人が装着した状態を示す斜視図である。
【図７】図７は、本発明に係る空気圧膨張型着ぐるみの第３実施形態において、着用者の首部が外側に出る開口部の部分を拡大して示す部分拡大図である。
【図８】図８は、本発明に係る空気圧膨張型着ぐるみの第４実施形態において、人が装着した状態を示す斜視図である。
【図９】図９は、本発明に係る空気圧膨張型着ぐるみの第５実施形態において、人が装着した状態を示す斜視図である。
【図１０】図１０は、本発明に係る空気圧膨張型着ぐるみの第５実施形態において、足裏の部分を拡大して示す部分拡大図である。
【図１１】図１１は、本発明に係る空気圧膨張型着ぐるみの第５実施形態において、窓部の部分を拡大して示す部分拡大図である。
【発明を実施するための形態】
【００３０】
以下、本発明に係る空気圧膨張型着ぐるみを、第１実施形態から第５実施形態に基づき、図面を参照して説明する。
【００３１】
［第１実施形態］
先ず、第１実施形態の構成について説明する。
図１〜図４は、本発明に係る第１実施形態の空気圧膨張着ぐるみ１０を説明するための図である。
【００３２】
この第１実施形態の空気圧膨張着ぐるみ１０は、図１及び図２に示すように、空気圧により膨張した状態で、着用者１１の身体を覆いうる袋状の着ぐるみ本体部１２と、着ぐるみ本体部１２内に空気を送り込むための空気送入部としての内部にファンとその駆動手段としての駆動モーターを備えた空気送入装置１３と、空気送入装置１３と配線２７で接続された空気送入装置１３を駆動させるスイッチ１４を上側に有する電源部としての電池ボックス１５とを備えた空気圧膨張型着ぐるみである。
【００３３】
そして、この着ぐるみ本体部１２は、着用時に、着用者１１の腰から上の上半身が着ぐるみ本体部１２の外側に出るように開口部１６が形成されている。
【００３４】
また、図１に示すように、着ぐるみ本体部１２は、コミカルな怒った二足歩行の恐竜のキャラクター形状に形成されているとともに、着用者１１の着用時に、着用者１１が、この恐竜のキャラクターの背中に跨って乗っているときの脚部に見えるように模したダミー脚部１７，１７を備えている。
【００３５】
さらに、この恐竜のキャラクター形状の着ぐるみ本体部１２の頭部には、手綱２８が設けられており、着用者１１がこの手綱２８を手で掴むと、この恐竜のキャラクター形状の着ぐるみ本体部１２を馬のように操っているように見える。
【００３６】
また、本実施形態にあっては、着用者１１は、頭にカーボーイハット２９を被っており、よりコミカルさが増すようになっている。
【００３７】
さらに、図１に示すように、着用者１１の本当の脚部１８，１８は、恐竜のキャラクター形状に形成された着ぐるみ本体部１２の脚部１９，１９内にある。
【００３８】
また、図３に示すように、着ぐるみ本体部１２の脚部１９，１９は、着用時に、着用者１１の足部２０，２０が接地しうるように着ぐるみ本体部１２内の空気が漏れるのを抑制するためにゴム紐２２が夫々内蔵された足用開口部２１，２１が形成されているとともに、足用開口部２１，２１より突出し、足部２０，２０を覆い隠す半楕円形状の足カバー部２３，２３を有する。なお、足カバー部２３，２３は、足部２０，２０に靴を夫々履いた場合も、靴ごと覆い隠せる大きさに形成されている。
【００３９】
また、図４に示すように、着ぐるみ本体部１２の着用時に着用者１１の上半身が出る開口部１６の縁部に設けた孔２５内には、後述するように、空気送入装置１３により、着ぐるみ本体部１２内に外側の空気が送り込み続けられるため、内部の空気漏れを抑制すると共に、所定量の空気を排出するための開口部１６の面積を狭めるための締付手段としてのゴム紐２４が設けられている。
【００４０】
また、引き上げることによりゴム紐２４を締め付け、引き下げることにより、ゴム紐２４を緩める締具２６が設けられている。
【００４１】
さらに、着ぐるみ本体部１２は、ポリエステルなどの軽量の可撓性を有する厚さ１ｍｍ以下の薄いシート状の素材で形成されている。
【００４２】
なお、着用時には、図２に示した電池ボックス１５のスイッチ１４を押し、オン状態とし、空気送入装置１３により、外部の空気を、着ぐるみ本体部１２内に送り込み続けるように構成されている。
【００４３】
また、電池ボックス１５内には、市販の乾電池が内蔵されており、図示省略の蓋を開閉することにより、交換可能となっている。
【００４４】
さらに、非着用時には、電池ボックス１５のスイッチ１４を押し、オフ状態とし、空気送入装置１３のファンの駆動を停止させる。
【００４５】
次に、第１実施形態の作用効果について説明する。
【００４６】
この本発明の第１実施形態の空気圧膨張型着ぐるみ１０は、図１〜図４に示すように、上記した構成なので、着用者１１が恐竜のキャラクター形状の着ぐるみ本体部１２に跨っているかのように見えることから、従来にない趣向性に富んだ空気圧膨張型着ぐるみを提供することができる。
【００４７】
また、着用時に、着ぐるみ本体部１２の開口部１６から外側に出る着用者１１の身体の位置の部位は、着ぐるみ本体部１２に覆われる部分に比して、より自由に動かすことができるため、着用者１２は、着用した状態でも気軽に動き回ることができる空気圧膨張型着ぐるみを提供することができる。
【００４８】
具体的には、この第１実施形態の空気圧膨張型着ぐるみ１０は、着用時に、着ぐるみ本体部１２の開口部１６から外側に出る着用者１１の上半身は、着ぐるみ本体部１２に覆われている部分に比して、より自由に動かすことができるので、例えば、手を使った作業を行えるし、顔も外界に出ているため、空腹時には、食事をすることもできる。
【００４９】
また、着用時に、着用者１１の脚部に見えるように模したダミー脚部１７，１７により、着用者１１がコミカルな怒った二足歩行の恐竜のキャラクターの背中に跨って乗っているように見えるので、多くの人々に注目されるような趣向を凝らしたものとなる。
【００５０】
さらに、着用時に、着用者１１は、足部２０，２０が着ぐるみ本体部１２の外側に出ているので、足部２０，２０を着ぐるみ本体部１２の外側において自由に動かすことができ、また、足部２０，２０は、足カバー部２３に夫々覆い隠されるため、外側からは、着用者１１の足部２０，２０の位置が分からないので、例えば、靴を履いた状態で着用すると、靴を履くことによる歩き易さがあるうえに、足カバー部２３，２３で靴ごと足部２０，２０が覆い隠され、着用時の着ぐるみとしての外観品質の低下を防止することができる。
【００５１】
また、締付手段としてのゴム紐２４により、着用時に空気送入部としての空気送入装置１３から送られてきた空気は、着ぐるみ本体部１２内を満たして、着ぐるみ本体部１２を膨張させることができ、若干量の空気は排出され、着ぐるみ本体部１２内は、常に適度な空気量に保たれるので、着用時の着ぐるみ本体部１２の型崩れのおそれも少なく、開口部１６を極端に締め付けないで済むため、着心地もよい。
【００５２】
さらに、着ぐるみ本体部１２は、軽量で薄く可撓性を有するため、着用者１１は、着用時に負担をあまり感じず、また、使用しないときは、小さくコンパクトに折り畳めるので、着用者１１は、着用しても疲労感をさほど感じず、バッグや手提げ袋などに収納できるため、持ち運びも容易である。
【００５３】
［第２実施形態］
次に、第２実施形態について説明する。
【００５４】
なお、第１実施形態で説明した内容と同一乃至均等な部分の説明については同一符号を付して説明する。
【００５５】
図５は、本発明に係る第２実施形態の空気圧膨張型着ぐるみ３０を説明するための図である。
【００５６】
この第２実施形態の空気圧膨張型着ぐるみ３０では、図５に示すように、着ぐるみ本体部１２は、上半身を前傾させた力持ち風の男性のキャラクター形状に形成されているとともに、着用者１１の着用時に、着用者１１が、この力持ち風の男性のキャラクターの肩に肩車されているときの脚部に見えるように模したダミー脚部１７，１７を備えている。
【００５７】
本実施形態においては、着用者１１の脚部１８，１８は、着ぐるみ本体部１２の脚部１９，１９内に挿通され、着用者１１は、足部２０，２０により、接地面上に立っている。
【００５８】
また、着用者１１は、着ぐるみ本体部１２の上面部に開設された開口部１６から上半身１１ａを出せるように構成されている。
【００５９】
従って、この第２実施形態の空気圧膨張型着ぐるみ３０においては、着用時に、着用者１１の脚部に見えるように模したダミー脚部１７，１７により、着用者１１が力持ち風の男性のキャラクターに肩車されているように見えるので、多くの人々に注目されるような趣向を凝らしたものとなる。
【００６０】
なお、他の構成及び作用効果については、第１実施形態と略同様であるので説明を省略する。
【００６１】
［第３実施形態］
次に、第３実施形態について説明する。
【００６２】
なお、第１実施形態で説明した内容と同一乃至均等な部分の説明については同一符号を付して説明する。
【００６３】
図６及び図７は、本発明に係る第３実施形態の空気圧膨張型着ぐるみ４０を説明するための図である。
【００６４】
この第３実施形態の空気圧膨張型着ぐるみ４０では、図６に示すように、着用時に、着用者１１の上半身のうち、首部と両手部のみが、着ぐるみ本体部１２の外側に出るように開口部４１と開口部４２，４２とが形成されている。
【００６５】
また、着ぐるみ本体部１２は、異様な怪人のキャラクター形状に形成され、覆面をした怪人部１２ａ及び怪人部１２ａの前面部に斜めに抱き上げられている犠牲者部１２ｂとから成る。犠牲者部１２ｂは、着用者１１の着用時に、着用者１１が、この異様な怪人のキャラクターに両腕を掴まれて持ち上げられているように見えるように模したダミー胴体部４３とダミー脚部１７，１７を備えている。
【００６６】
本実施形態においては、着用者１１の脚部１８，１８は、着ぐるみ本体部１２の怪人部１２ａの脚部１９，１９内に挿通され、着用者１１は、足部２０，２０により、接地面上に立てるように構成されている。
【００６７】
さらに、図７に示すように、首部の周りの開口部４１は、締付手段として、内部にゴム紐が設けられているとともに、端部４１ａの内側と対向する側の面の内側には、雌雄の面ファスナーが設けられており、着用時に空気送入部としての空気送入装置１３から送られてきた空気は、着ぐるみ本体部１２内を満たして、着ぐるみ本体部１２を膨張させることができ、若干量の空気は排出され、着ぐるみ本体部１２内は、常に適度な空気量に保たれるので、着用時の着ぐるみ本体部１２の型崩れのおそれも少なく、開口部４１を極端に締め付けないで済むため、着心地もよいようになっている。
【００６８】
また、首部の周りの開口部４１の裏側には、この開口部４１を着用者１１の胴回りより広く広げることが可能なスライドファスナー４４が設けられており、この空気圧膨張型着ぐるみ４０の着脱を容易に行えるようにもなっている。
【００６９】
従って、この第３実施形態の空気圧膨張型着ぐるみ４０においては、着用時に、着用者１１は、脚部１８，１８で立っているが、犠牲者部１２ｂが怪人部１２ａにより抱き上げられているように見えるように構成されていることから、
胴体及び脚部に見えるように模したダミー胴体部４３とダミー脚部１７，１７により、着用者１１が異様な怪人のキャラクターに両腕を掴まれて持ち上げられているように見え、多くの人々に注目されるような趣向を凝らしたものとなる。
【００７０】
なお、他の構成及び作用効果については、第１実施形態と略同様であるので説明を省略する。
【００７１】
［第４実施形態］
次に、第４実施形態について説明する。
【００７２】
なお、第１実施形態で説明した内容と同一乃至均等な部分の説明については同一符号を付して説明する。
【００７３】
図８は、本発明に係る第４実施形態の空気圧膨張型着ぐるみ５０を説明するための図である。
【００７４】
この第３実施形態の空気圧膨張型着ぐるみ５０では、図８に示すように、力士を模した着ぐるみとして構成されており、上記した第３実施形態の空気圧膨張型着ぐるみ４０と同様、着用時に、着用者１１の上半身のうち、首部と両手部のみが、着ぐるみ本体部１２の外側に出るように開口部５１と開口部５２，５２とが形成されている。
【００７５】
また、足部２０，２０も着ぐるみ本体部１２の外側に出るようになっており、着用時に、着ぐるみ本体部１２により、着用者１１の体形が力士になったように見える。
【００７６】
さらに、着用者１１は、更に力士に近く見えるように、頭部に、髷を結ったような被り物５３を被るように構成されている。
【００７７】
また、首部の周りの開口部５１の構造は、上記した第３実施形態の図７に示した開口部４１の構造と略同様な構造となっている。
【００７８】
従って、この第４実施形態の空気圧膨張型着ぐるみ５０においては、着用時に、着用者１１の体形が力士のように見えるので、多くの人々の意表を突き、注目されるような趣向を凝らしたものとなる。
【００７９】
なお、他の構成及び作用効果については、第１実施形態と略同様であるので説明を省略する。
【００８０】
［第５実施形態］
次に、第５実施形態について説明する。
【００８１】
なお、第１実施形態で説明した内容と同一乃至均等な部分の説明については同一符号を付して説明する。
【００８２】
図９〜図１１は、本発明に係る第５実施形態の空気圧膨張型着ぐるみ６０を説明するための図である。
【００８３】
この第５実施形態の空気圧膨張型着ぐるみ６０では、図９〜図１１に示すように、着ぐるみ本体部１２は、着用者１１の背丈よりも大きなリアルな二足歩行の恐竜のキャラクターに形成されており、着用時に、着用者１１の略全身を覆い、着用者１１の足部２０，２０のみを外側に出すように足用開口部６１，６１が形成されており、足部２０，２０を覆い隠す足側方カバー部６２，６２を有するとともに、着用時の着用者１１の眼前の位置には、外界を視認しうる透明な窓部６３が設けられている。
【００８４】
本実施形態においては、着用者１１の脚部１８，１８は、着ぐるみ本体部１２の脚部１９，１９内に挿通され、着用者１１は、足部２０，２０により、接地面上に立てるように構成されている。
【００８５】
なお、着ぐるみ本体部１２内には、空気送入装置１３により、外側から新鮮な空気が絶えず供給され、窓部６３の縫い目６４から供給量と略同じ量の古い空気が排出されるので、着用者１１は、着用時にも、着ぐるみ本体部１２内で、呼吸を楽に行えるようになっている。
【００８６】
従って、この第５実施形態の空気圧膨張型着ぐるみ６０においては、着用時に、着用者１１の着用している着用者１１の背丈よりも大きなリアルな二足歩行の恐竜のキャラクターが動き回るので、多くの人々に注目されるような趣向を凝らしたものとなる。
【００８７】
なお、他の構成及び作用効果については、第１実施形態と略同様であるので説明を省略する。
【００８８】
以上、本発明に係る空気圧膨張型着ぐるみの第１実施形態から第５実施形態について図面を参照して詳述してきたが、具体的な構成は、これら第１実施形態から第５実施形態に限らず、本発明の要旨を逸脱しない程度の設計的変更は、本発明に含まれる。
【産業上の利用可能性】
【００８９】
本発明に係る空気圧膨張型着ぐるみは、多くの人々が購入し、使用することができるので、産業上の利用可能性を有している。
【符号の説明】
【００９０】
１０    空気圧膨張型着ぐるみ
１１    着用者
１１ａ  着用者の上半身
１２    着ぐるみ本体部
１２ａ  怪人部
１２ｂ  犠牲者部
１３    空気送入装置（空気送入部）
１４    スイッチ
１５    電池ボックス（電源部）
１６    開口部
１７    ダミー脚部
１８    着用者の脚部
１９    着ぐるみ本体部の脚部
２０    着用者の足部
２１    足用開口部
２２    ゴム紐
２３    足カバー部
２４    ゴム紐
２５    孔
２６    締具
２７    配線
２８    手綱
２９    カーボーイハット
３０    空気圧膨張型着ぐるみ
４０    空気圧膨張型着ぐるみ
４１    開口部
４１ａ  端部
４２    開口部
４３    ダミー胴体部
４４    スライドファスナー
５０    空気圧膨張型着ぐるみ
５１    開口部
５２    開口部
５３    被り物
６０    空気圧膨張型着ぐるみ
６１    足用開口部
６２    足側方カバー部
６３    窓部
６４    縫い目
【図１】
2020006037.tif 000003
【図２】
2020006037.tif 000004
【図３】
2020006037.tif 000005
【図４】
2020006037.tif 000006
【図５】
2020006037.tif 000007
【図６】
2020006037.tif 000008
【図７】
2020006037.tif 000009
【図８】
2020006037.tif 000010
【図９】
2020006037.tif 000011
【図１０】
2020006037.tif 000012
【図１１】
2020006037.tif 000013